(57)【要約】【課題】軸筒内の機構による動作を阻害することなく、着脱可能な装飾部材を配設することができる上、同装飾部材を軸筒内にフィットさせて、美観を向上した筆記具を提供する。【解決手段】軸筒１０内に交換可能な装飾部材１３を具備した筆記具において、前記軸筒１０は、内部が視認可能な外筒１１と該軸筒１０内の内筒１２とからなる二重筒状に構成され、これら外筒１１と内筒１２との間に形成された筒状空間部ｃに、着脱可能に前記装飾部材１３を配設することで、軸筒１０内の機構による動作を阻害することなく装飾部材１３が軸筒１０内にフィットするようにした。【選択図】　　　　　図１
2004130625.tif 000002
【特許請求の範囲】
【請求項１】
軸筒内に交換可能な装飾部材を具備した筆記具において、
前記軸筒は、内部が視認可能な外筒と該外筒内の内筒とからなる二重筒状に構成され、これら外筒と内筒との間に形成された筒状空間部に、着脱可能に前記装飾部材を配設していることを特徴とする筆記具。
【請求項２】
上記内筒の外周面または上記外筒の内周面に、上記装飾部材の内面または外面に当接する突部を設けたことを特徴とする請求項１記載の筆記具。
【請求項３】
上記軸筒の前端部には、上記筒状空間部を開閉する先口が着脱可能に設けられ、上記突部は、上記軸筒の後端近傍に配置されていることを特徴とする請求項１又は２記載の筆記具。
【請求項４】
上記外筒が上記内筒に対し着脱可能に設けられていることを特徴とする請求項１乃至３何れか１項記載の筆記具。
【請求項５】
上記装飾部材は、シート状物を筒状に丸めることで構成されることを特徴とする請求項１乃至４何れか１項記載の筆記具。
【請求項６】
上記内筒を内部が視認可能に形成したことを特徴とする請求項１乃至５何れか１項記載の筆記具。
【発明の詳細な説明】
【０００１】
【発明の属する技術分野】
本発明は、内部が視認可能な軸筒内に、着脱交換可能に装飾部材を介在させている筆記具に関するものである。
【０００２】
【従来の技術】
従来、この種の筆記具には、透明な軸筒と、該軸筒内に固定されたリフィールとの間にストロー状の表示片を介在させて、該表示片を軸筒外から視認させるようにしたものがある。（例えば、特許文献１参照。）。
【０００３】
しかしながら、上記従来技術によれば、軸筒内周面とリフィールとの間の空間部に表示片を介在するようにしているため、リフィールを前後方向へスライドさせて該リフィールの筆記先端部を先口から出没させる機構を具備しようとした場合、スライドするリフィールと表示片、あるいは表示片と軸筒内周面が摺接するため、リフィールのスライド動作が阻害されたり、表示片が紙等の可撓性シートからなる場合に変形したりすることが懸念される。
また、上記従来技術では、表示片を着脱交換し易くするために、軸筒内周面とリフィールとの間に、空間的余裕を確保した状態で、表示片を介在させている。そのため、表示片が紙等の肉薄で可撓性を有するシートから形成されている場合には、軸筒内周面とリフィール外周面との間の広い空間部内で、前記シート状の表示片が撓んでしまい、筆記具の美観を損ねてしまうことが懸念された。
【０００４】
【特許文献１】
公開実用昭和５１−７５３３５号公報（第１乃至５図）
【０００５】
【発明が解決しようとする課題】
本発明は上記従来事情に鑑みてなされたものであり、その課題とする処は、軸筒内の機構による動作を阻害することなく、着脱可能な装飾部材を配設することができる上、同装飾部材を軸筒内にフィットさせて、美観を向上した筆記具を提供することにある。
【０００６】
【課題を解決するための手段】
上記課題を解決するために第一の発明は、軸筒内に交換可能な装飾部材を具備した筆記具において、前記軸筒は、内部が視認可能な外筒と該外筒内の内筒とからなる二重筒状に構成され、これら外筒と内筒との間に形成された筒状空間部に、着脱可能に前記装飾部材を配設していることを特徴とする。
【０００７】
ここで、上記内部が視認可能な外筒とは、該外筒の内部が外部から視認可能な構成であればよく、例えば、該外筒を透明又は半透明な材料から構成した態様、該外筒を透明又は半透明な材料から形成するとともに、同外筒の外周面に、梨地模様や、すりガラス状の模様、凹凸模様、切欠き等、内部が視認可能な模様を設けた態様、あるいは、該外筒外周面に、内部を部分的に視認可能にすべく径方向に貫通する窓部を設けた態様等を含む。
また、上記内筒とは、シャープペン用やボールペン用のリフィール、または、鉛芯タンク、インクタンク、シャープペンシルやボールペン用のリフィールを前後方向へスライドさせてその筆記先端部を先口から出没させる機構、あるいはシャープペンシルの鉛芯を後端ノック操作により筆記先端部から出没させる機構等、筆記具として機能するための部材や機構を、内部に備えるための部材であり、該内筒自体がリフィールであることを含まない。
また、上記装飾部材とは、その外表面が無地のもの又は着色されたもの、同外表面に、模様や、図柄、文字、記号等が表示されたもの等を含む。
また、上記装飾部材の形状は、上記筒状空間部に挿入可能であれば、特に限定されるものでなく、例えば、上記筒状空間部に装着可能な筒体に形成されたものや、シート状物を筒状に丸めて上記筒状空間部に装着可能にしたもの等を含む。
【０００８】
更に、第二の発明では、上記内筒の外周面または上記外筒の内周面に、上記装飾部材の内面または外面に当接する突部を設けたことを特徴とする。
【０００９】
また、第三の発明では、上記軸筒の前端部には、上記筒状空間部を開閉する先口が着脱可能に設けられ、上記突部は、上記軸筒の後端近傍に配置されていることを特徴とする。
【００１０】
また、第四の発明では、上記外筒が上記内筒に対し着脱可能に設けられていることを特徴とする。
【００１１】
また、第五の発明では、上記装飾部材は、シート状物を筒状に丸めることで構成されることを特徴とする。
【００１２】
また、第六の発明では、上記内筒を内部が視認可能に形成したことを特徴とする。
ここで、上記内筒を内部が視認可能に形成とは、上記外筒と同様に、該内筒の内部が外部から視認可能な構成であればよく、例えば、該内筒を透明又は半透明な材料から構成した態様、該内筒を透明又は半透明な材料から形成するとともに、同内筒の外周面に、梨地模様や、すりガラス状の模様、凹凸模様、切欠き等、内部が視認可能な模様を設けた態様、あるいは、該内筒外周面に、内部を部分的に視認可能にすべく径方向に貫通する窓部を設けた態様等を含む。
【００１３】
【発明の実施の形態】
以下、本発明の実施の形態を図面に基づいて説明する。
この筆記具Ａは、装飾部材１３を内在した軸筒１０と、該軸筒１０の前端部に着脱可能に螺合接続された先口２０と、同軸筒１０の後端部に接続されたクリップ部材３０と、同軸筒１０及び先口内での繰り出し動作によって鉛芯を先口２０から送出する鉛芯繰り出し機構４０とを備え、前記先口２０を着脱することで軸筒１０内の装飾部材１３を着脱交換できるようにしたシャープペンシルである。
【００１４】
軸筒１０は、内部が視認可能な外筒１１と該外筒１１内に内在した内筒１２とからなる二重筒状に構成され、これら外筒１１と内筒１２との間に形成された筒状空間部ｃに、着脱可能に装飾部材１３を配設している。
【００１５】
外筒１１は、例えばメタクリル樹脂（ＰＭＭＡ）等の透明度の高い合成樹脂材料を略筒状に成形してなり、その後端側に、回り止めとして作用する切欠部１１ａ（図２参照）を有する。
そして、この外筒１１は、その後端開口部を、内筒１２後端の環状突部１２ａ外周面に、着脱可能に嵌め合わせるとともに、前記切欠部１１ａを、クリップ部材３０におけるクリップ３１の付け根に嵌め合わせることで、内筒１２に対して軸方向へ着脱可能で且つ周方向に回転不能に組み付けられている。
【００１６】
内筒１２は、合成樹脂材料からなる略筒状を呈し、その外周面の後端側に突部１２ｂを、そして同外周面の最後端部に、上記外筒１１を嵌め合わせるための環状突部１２ａを一体に形成している。また、該内筒１２の内面は、後述する鉛芯繰り出し機構４０を動作可能に保持すべく形成されている。
【００１７】
尚、この内筒１２を形成する合成樹脂材料は、有色または透明の何れであっても構わないが、好ましい態様としては、該内筒１２を透明または半透明とするとともに、該内筒１２内の芯タンク４６も透明または半透明とすることで、装飾部材１３を外した際に、芯タンク４６内の残芯量を視認可能にすることができる。更に、装飾部材１３を、図示例よりも短くし軸筒１０の後部よりに内在するようにすれば、常時、芯タンク４６内の残芯量を視認可能にすることができる。
【００１８】
前記突部１２ｂは、平面視略円形状で且つ頂部が曲面状に形成され、内筒１２の後端側の外周面に、周方向に所定間隔を置いて複数配設されている。
この突部１２ｂは、その頂部を装飾部材１３の内周面に当接させることで、装飾部材１３の軸方向及び周方向の滑りとガタつきを防止する。
【００１９】
装飾部材１３は、合成樹脂材料からなる筒体の外周面に装飾を施したものであり、先口２０が外されることにより、他のデザインのものに容易に交換することができる。その場合、交換される装飾部材は、図１及び２に例示した筒状のものに限定されず、図３及び４に例示するように紙や合成樹脂フィルム等のシート状物を筒状に丸めた交換用装飾部材１３’であっても構わない。
【００２０】
クリップ部材３０は、上記内筒１２の後端側内周面に螺合接続されており、クリップ３１の付け根を外筒１１後端の切欠部１１ａに嵌め合わせることで、外筒１１の周方向の回転を防止している。
【００２１】
先口２０は、その後端面に、上記軸筒１０の筒状空間部ｃ内へ突出する環状突部２１を形成し、内部には、鉛芯繰り出し機構４０により繰り出される鉛芯を弾性的に保持する芯ホルダー２２を嵌着している。
そして、この先口２０は、前記環状突部２１を筒状空間部ｃの前端側に挿入させるようにして、内筒１２の前端側外周面に着脱可能に螺合接続されており、筒状空間部ｃの前端面を閉鎖するとともに外筒１１を固定し、更に、環状突部２１の突端面を装飾部材１３の前端面に当接させることで、内筒１２の軸方向のガタつきを少なくしている。
【００２２】
鉛芯繰り出し機構４０は、内筒１２の前端側内部に、軸方向へ進退可能なチャック４１と、該チャック４１の外周に嵌脱可能なクラッチリング４２とを備え、チャック４１の前進中にクラッチリング４２を外し、チャック４１の後退中にクラッチリング４２を嵌めることで、チャック４１の前端側を開閉させて、チャック４１内に挿通される鉛芯ｘを繰り出し先口２０から突出させる機構であり、前進中のチャック４１に係合することで、該チャック４１からクラッチリング４２を外すクラッチリング外し部材４３を、内筒１２の前端側に、先口２０と別体となるように固定している。
【００２３】
上記構成の鉛芯繰り出し機構４０によれば、クラッチリング外し部材４３が先口２０と別体に設けられているため、先口２０の寸法精度による鉛芯出し量のバラ付きを大幅に減少することができる。しかも、同鉛芯繰り出し機構４０は、先口２０を外した状態でも鉛芯ｘの繰り出しが可能なため、製造時において先口２０の装着前に鉛芯繰り出し量の検査を行うことができる上、使用時において折れた鉛芯ｘがチャック４１に噛んでしまった場合には、先口２０を外してノック操作すれば容易に折れた鉛芯ｘを除去することができ、メンテナンス性にも優れている。
【００２４】
尚、図中、符号４４はチャック４１と一体的に軸方向へスライドするスライド部材、符号４５は前記スライド部材４４を後方へ付勢するスプリング、符号４６はスライド部材４４の後端に接続された芯タンク、符号４７は接続管、符号４８は円柱状の消しゴム、符号４９は前記接続管４７の後端に着脱可能に接続されたノックキャップである。
【００２５】
次に、上記構成の筆記具Ａについて、装飾部材１３の交換手順を説明する。
先ず、図３（ａ）及び（ｂ）に示すように、先口２０が外され、次いで、予め装着されていた装飾部材１３が外される。
そして、図３（ｃ）に示すように、例えば、シート状の交換用装飾部材１３’が準備される。
次に、図３（ｄ）（ｅ）（ｆ）に示すように、交換用装飾部材１３’が、筒状に丸められて、外筒１１と内筒１２との間の筒状空間部ｃに挿入され、先口２０が螺合接続される。
【００２６】
尚、上記交換用装飾部材１３’は、上述した装飾部材１３のように筒状に形成されたものであっても構わないが、上記シート状のものであれば、装着後の復元力によって外筒１１内周面に密着するので、当該シャープペンシルＡの美観を向上することができる。
【００２７】
また、上記装飾部材１３を交換用装飾部材１３’に交換する手順は、上記態様に限定されず、図４（ａ）〜（ｆ）に示すようにしてもよい。
この交換手順によれば、先ず、図４（ａ）及び（ｂ）に示すように、先口２０が外され、次いで、外筒１１と予め装着されていた装飾部材１３とが外される。そして、図４（ｃ）に示すように、例えば、シート状の交換用装飾部材１３’が準備される。
次に、図４（ｄ）（ｅ）（ｆ）に示すように、交換用装飾部材１３’が内筒１２の外周面に巻き付けられ、交換用装飾部材１３’の外周に外筒１１が装着され、内筒１２の前瑞部に先口２０が螺合接続される。
上記交換手順では、交換用装飾部材１３’を筒状空間部ｃに挿入するという若干繊細な作業を要さないため、その交換作業が容易である。
【００２８】
次に、内筒１２の外周面に形成した突部１２ｂの他例について説明する。
図５（ａ）に示す突部１２ｂ１は、内筒１２の外周面から環状に突出するようにした態様であり、装飾部材１３の内周面を周方向において均等に押圧するため、特に装飾部材１３がシート状であった場合にも、該装飾部材１３の周方向の撓みを防止できる上、該装飾部材１３の軸方向または周方向の滑り及びガタつきを一層確実に防止することができる。
【００２９】
また、図５（ｂ）に示す突部１２ｂ２は、内筒１２の外周面から突出する軸方向のリブ状に形成された態様であり、装飾部材１３の内周面を軸方向にわたって押圧するため、装飾部材１３の軸方向のガタつきを防止する効果に優れている。
【００３０】
また、図５（ｃ）に示す突部１２ｂ３は、内筒１２の外周面から突出する円柱状に形成された態様であり、軸方向に平坦な面を形成しているため、装飾部材１３の軸方向及び周方向の撓みを防止する上、前記平坦な面による摩擦抵抗によって、装飾部材１３の周方向の滑り及び軸方向のガタつきを防止する効果に優れている。
【００３１】
また、上記各態様によれば突部１２ｂ，１２ｂ１，１２ｂ２，１２ｂ３を内筒１２の外周面に設けたが、図６に示すように、外筒１１の内周面に突部１１ｂを形成するようにしても構わない。
この突部１１ｂの形状は上述した突部１２ｂ，１２ｂ１，１２ｂ２，１２ｂ３の内の何れの態様であってもよく、該突部１１ｂは、外筒１１内周面の後端側に配置され、装飾部材１３または交換用装飾部材１３’の外周面を押圧することで、装飾部材１３の軸方向及び周方向の滑りとガタつきを防止する。
尚、本態様では突部１１ｂが内部が視認可能な外筒１１の外部から視認されてしまうため、外観上の体裁を良好にする観点からは、上述した図１乃至５に示す態様の方が好ましい。
【００３２】
また、上記筆記具Ａはシャープペンシルを構成した一例を示しているが、本発明は、図７に例示する筆記具Ｂのように、ボールペンシルを構成しても構わない。
この筆記具Ｂは、上記筆記具Ａにおける鉛芯繰り出し機構４０を、後端ノックキャップ４９のノック操作によりボールペン用リフィール４１の筆記先端部４１ａを出没させる出没機構４０’に置換した構成としており、上記筆記具Ａ同様に、前記出没機構４０’による動作を阻害することなく、着脱可能な装飾部材１３を配設することができる上、装飾部材１３を軸筒１０内にフィットさせて、美観を向上することができる。
【００３３】
【発明の効果】
本発明は、以上説明したように構成されているので、以下に記載されるような作用効果を奏する。
第一の発明によれば、着脱可能な装飾部材を外筒と内筒との間の筒状空間部に配設しているため、内筒内には、前記装飾部材と干渉しない空間が確保される。したがって、前記内筒内の空間に、シャープペンシル用リフィールやボールペン用リフィールを前後方向へスライドさせて、その筆記先端部を先口から出没させる機構、あるいはシャープペンシルの鉛芯を後端ノック操作により筆記先端部から出没させる機構等、軸筒内で動作する機構を、その動作を阻害することなく配設することができる。
その上、外筒の内径と内筒の外径との何れか一方又は双方を調整することにより、筒状空間部の径方向の寸法を容易に調整することができるため、装飾部材を紙等の肉薄で可撓性を有するシートから形成したとしても、筒状空間部の径方向寸法の調整により、前記シート状の装飾部材を撓ませることなく、外筒の内面に密接させるようにして、軸筒内にフィットさせることができる。
よって、軸筒内の機構による動作を阻害することなく、着脱可能な装飾部材を配設することができる上、同装飾部材を軸筒内にフィットさせて、美観を向上した筆記具を提供することができる。
【００３４】
更に、第二の発明によれば、装飾部材の内面または外面に内筒の突部が当接するため、装飾部材の軸方向または周方向の滑り及びガタつきを防止できる。
【００３５】
しかも、第三の発明によれば、先口を外すことで、装飾部材を軸筒前方側へ抜くことができる上、装飾部材を軸筒前方側から筒状空間部に挿入する際には、突部が軸筒の後端近傍に配置されているため、軸筒前端側で突部が障害物となり装飾部材が挿入し難くなるようなことがない。
【００３６】
更に、第四の発明によれば、外筒が内筒に対し着脱可能に設けられているため、外筒を外して内筒外周に装飾部材を容易に装着することができる。
【００３７】
更に、第五の発明によれば、シート状物を筒状に丸めてなる装飾部材が、該装飾部材自体の復元力によって、外筒の内周面に密接するため、装飾部材を外筒と一体的に視認させて、筆記具の美観を一層向上することができる。
【００３８】
しかも、第六の発明によれば、内筒を内部が透明材料から形成しているため、装飾部材を外した際に、透明なリフィール内のインク残量や、透明な芯タンク内の鉛芯残量等を視認させることができる。更に、装飾部材を部分的に切欠して、内筒内のインク残量や鉛筆残量を視認させるようにしたり、軸筒の全長よりも短い装飾部材を軸筒後端側に装着して、軸筒の前端側部位において内筒内のインク残量や鉛筆残量を視認させるようにすることも可能になる。
【図面の簡単な説明】
【図１】本発明に係わる筆記具の一例を示す縦断面図。
【図２】同筆記具の要部分解図。
【図３】装飾部材の交換方法の一例を（ａ）〜（ｆ）に順次に示す使用方法説明図。
【図４】装飾部材の交換方法の他例を（ａ）〜（ｆ）に順次に示す使用方法説明図。
【図５】装飾部材に当接させるための突部の他例を（ａ）〜（ｃ）に順次に示す要部平面図。
【図６】装飾部材に当接させるための突部の他例を示す要部断面図。
【図７】本発明に係わる筆記具の他例を示す縦断面図。
【符号の説明】
１０：軸筒
１３：装飾部材
１１：外筒
１２：内筒
１２ｂ，１２ｂ１，１２ｂ２，１２ｂ３：突部
２０：先口
ｃ：筒状空間部
Ａ：筆記具
【図１】
2004130625.tif 000003
【図２】
2004130625.tif 000004
【図３】
2004130625.tif 000005
【図４】
2004130625.tif 000006
【図５】
2004130625.tif 000007
【図６】
2004130625.tif 000008
【図７】
2004130625.tif 000009